(57)【要約】      （修正有）【課題】綴じあり書類をスキャンできるポータブルスキャナーを提供する。【解決手段】ポータブルスキャナーは、ケースと、スキャン通路１１と、ローラー４２及びスキャンモジュールとを有し、スキャン通路は、ケースの短手方向の対向する両側を水平に貫通し、一側に第１通路口１２が形成され、他側に第２通路口１３が形成され、ローラー及びスキャンモジュールは、それぞれスキャン通路の上下方向に対向して設けられる。第１通路口側に設置の綴じあり書類をスキャンする場合、ローラーを逆回転させて、書類の綴じ側に対向する一側を第１通路口からスキャン通路に給送し、ローラーにより書類をスキャン通路に所定距離だけ給送してから、回転を停止させ、その後、ローラーを回転させることで、書類を第１通路口を経由しスキャン通路から排出させ、スキャンモジュールによって書類の一側がローラーから離れるまで書類をスキャンする。【選択図】図６
0003226659.tif 000002
【実用新案登録請求の範囲】
【請求項１】
綴じなし書類及び綴じあり書類をスキャンするポータブルスキャナーであって、
ケースと、スキャン通路と、ローラー及びスキャンモジュールとを有し、
前記スキャン通路は、前記ケースの短手方向における対向する両側を水平に貫通し、一側に第１通路口が形成され、他側に第２通路口が形成され、
前記ローラー及び前記スキャンモジュールは、それぞれ前記スキャン通路の上下方向における対向する両側に設けられ、前記スキャン通路内で互いに接触し、且つ前記第１通路口側に設置され、
前記綴じあり書類をスキャンする場合、前記ローラーを逆回転させることで、前記綴じあり書類の綴じ側に対向する一側を前記第１通路口から前記スキャン通路に給送し、前記ローラーによって前記綴じあり書類を前記スキャン通路に所定距離だけ給送してから、回転を停止させ、その後、前記ローラーを回転させることで、前記綴じあり書類を前記第１通路口を経由し前記スキャン通路から排出させるとともに、前記スキャンモジュールによって前記綴じあり書類の前記一側が前記ローラーから離れるまで前記綴じあり書類をスキャンし、
前記綴じなし書類をスキャンする場合、前記綴じなし書類を前記第２通路口から前記スキャン通路に給送し、前記綴じなし書類の先端が前記ローラーに接触すると、前記ローラーによって前記綴じなし書類を前記第１通路口を経由し前記スキャン通路から排出させるとともに、前記スキャンモジュールによって前記綴じなし書類の末端が前記ローラーから離れるまで前記綴じなし書類をスキャンすることを特徴とする、
ポータブルスキャナー。
【請求項２】
前記ケースは、上蓋と、ベース部が設けられる底蓋とを有し、
前記スキャン通路は、前記上蓋と前記底蓋の間に形成され、
前記ベース部の短手方向における一側に、下方に凹む凹部が設けられ、
前記凹部は、前記ベース部の短手方向における、一端と、他端の延伸端とが前記底蓋の上面と面一となり、前記第１通路口側に設置され、
前記ローラーは、前記凹部内に設けられることを特徴とする、
請求項１に記載のポータブルスキャナー。
【請求項３】
前記スキャンモジュールは、プラスチック製のハウジングと、前記ハウジングの上方に設けられる回路基板と、前記ハウジングの内部に設けられる光源及びセンサと、前記ハウジングの下方に設けられるガラスプレートとを有し、
前記ローラーは、前記ガラスプレートに接触することを特徴とする、
請求項１に記載のポータブルスキャナー。
【請求項４】
前記ケースの長手方向における一側面に更にＵＳＢスロットが設けられることを特徴とする、
請求項１に記載のポータブルスキャナー。
【考案の詳細な説明】
【技術分野】
【０００１】
本考案は、スキャナーに関し、特に、体積が小さく、コストが低く、且つスキャン書類の厚さに制限されないポータブルスキャナーに関する。
【背景技術】
【０００２】
より便利、簡単に書類を利用、保存または送信するために、光学スキャナーがより利用されている。光学スキャナーによって、紙に記載する文字又は図面情報を電子フォーマットに変換することで、その後の情報処理に有利である。その内、ポータブルスキャナーは、その体積が小さく、持ち運びが簡単である利点を有する。
【考案の概要】
【考案が解決しようとする課題】
【０００３】
しがしながら、図９に示すように、公知のポータブルスキャナーによって多ページの書類をスキャンする場合、より大きい通路、及び安定の動力源が必要である。そのため、市販品は、大体ダブルローラーを使用している。ダブルローラーは、１対となる紙送りローラー２００及び受動ローラー２０１と、スキャンモジュール２０２から構成して、それによってスキャン機能を実現できる。しかしながら、書類の綴じ側をスキャンする場合、その厚さの変化が大きいため、スキャン通路を通る時に画像ブレ又は通過できない状況が生じる。その場合、うまくスキャンするように、スキャン通路の大きさ、及びローラーのトルクを増加しなければならない。そのため、機械の高さ及び電力消費量が増加し、製造コストの向上を招く。
【０００４】
そのため、体積が小さく、コストが低く、且つスキャン書類の厚さに限定されないポータブルスキャナーが求められている。
【課題を解決するための手段】
【０００５】
本考案の目的は、綴じなし書類及び綴じあり書類をスキャンできるポータブルスキャナーを提供する。本考案のポータブルスキャナーは、ケースと、スキャン通路と、ローラー及びスキャンモジュールとを有し、前記スキャン通路は、前記ケースの短手方向における対向する両側を水平に貫通し、一側に第１通路口が形成され、他側に第２通路口が形成され、前記ローラー及び前記スキャンモジュールは、それぞれ前記スキャン通路の上下方向における対向する両側に設けられ、前記スキャン通路内で互いに接触し、且つ前記第１通路口側に設置され、前記綴じあり書類をスキャンする場合、前記ローラーを逆回転させることで、前記綴じあり書類の綴じ側に対向する一側を前記第１通路口から前記スキャン通路に給送し、前記ローラーによって前記綴じあり書類を前記スキャン通路に所定距離だけ給送してから、回転を停止させ、その後、前記ローラーを回転させることで、前記綴じあり書類を前記第１通路口を経由し前記スキャン通路から排出させるとともに、前記スキャンモジュールによって前記綴じあり書類の前記一側が前記ローラーから離れるまで前記綴じあり書類をスキャンし、前記綴じなし書類をスキャンする場合、前記綴じなし書類を前記第２通路口から前記スキャン通路に給送し、前記綴じなし書類の先端が前記ローラーに接触すると、前記ローラーによって前記綴じなし書類を前記第１通路口を経由し前記スキャン通路から排出させるとともに、前記スキャンモジュールによって前記綴じなし書類の末端が前記ローラーから離れるまで前記綴じなし書類をスキャンする。
【０００６】
１つの実施例において、前記ケースは、上蓋と、ベース部が設けられる底蓋とを有し、前記スキャン通路は、前記上蓋と前記底蓋の間に形成され、前記ベース部の短手方向における一側に、下方に凹む凹部が設けられ、前記凹部は、前記ベース部の短手方向における、一端と、他端の延伸端とが前記底蓋の上面と面一となり、前記第１通路口側に設置され、前記ローラーは、前記凹部内に設けられる。
【０００７】
１つの実施例において、前記スキャンモジュールは、プラスチック製のハウジングと、前記ハウジングの上方に設けられる回路基板と、前記ハウジングの内部に設けられる光源及びセンサと、前記ハウジングの下方に設けられるガラスプレートとを有する。前記ローラーは、前記ガラスプレートに接触する。
【０００８】
１つの実施例において、前記ケースの長手方向における一側面に更にＵＳＢスロットが設けられる。
【考案の効果】
【０００９】
本考案のポータブルスキャナーによると、体積が小さく、コストが低く、且つスキャン書類の厚さに制限されない。
【図面の簡単な説明】
【００１０】
【図１】本考案のポータブルスキャナーの斜視図である。
【図２】本考案のポータブルスキャナーの他の角度の斜視図である。
【図３】本考案のポータブルスキャナーの分解図である。
【図４】本考案のポータブルスキャナーの他の角度の分解図である。
【図５】本考案のポータブルスキャナーのスキャンモジュールの分解図である。
【図６】本考案のポータブルスキャナーの図２のＶＩ−ＶＩ線に沿う断面図である。
【図７】本考案のポータブルスキャナーで綴じあり書類をスキャンする状態を示す模式図である。
【図８】本考案のポータブルスキャナーで綴じあり書類をスキャンするもう一つの状態を示す模式図である。
【図９】公知技術のポータブルスキャナーのダブルローラーの構造模式図である。
【考案を実施するための形態】
【００１１】
以下、実施例及び図面を参照しながら、本考案のポータブルスキャナー１００の技術的な内容、構造的な特徴、考案の目的及び効果を詳しく説明する。
【００１２】
図１〜図４を参照しながら説明する。本考案のポータブルスキャナー１００は、上蓋１と、底蓋２と、ベース部３と、モーター（図示せず）と、伝動モジュール４とを有する。前記上蓋１と前記底蓋２が互いに係合する。前記ベース部３は、前記底蓋２の上方に設けられる。前記伝動モジュール４は、前記ベース部３の上面側に設けられる。前記モーター（図示せず）は、前記底蓋２に設けられ、前記伝動モジュール４の前記モーターに対応する構造と接続される。前記上蓋１と前記底蓋２によってケース１０を構成する。
【００１３】
図１、図２及び図６を参照しながら説明する。本考案のポータブルスキャナー１００は、スキャン通路１１を有する。前記スキャン通路１１は、前記ケース１０の短手方向における対向する両側を水平に貫通して、前記上蓋１と底蓋２の間に形成される。前記スキャン通路１１の一側に第１通路口１２が形成され、前記スキャン通路１１の他側に第２通路口１３が形成される。前記伝動モジュール４は、前記第１通路口１２側に設置される。本実施例において、前記ケース１０の長手方向における一側面に、更にパソコンと接続するためのＵＳＢスロット１４が設けられる。具体的な実施例において、前記伝動モジュール４は、前記第２通路口１３側に設置されてもよい。
【００１４】
図３及び図６を参照しながら説明する。前記ベース部３は、前記底蓋２に固定され、その短手方向における一側に下方に凹む前記凹部３１を有する。前記凹部３１の前記ベース部３の短手方向における、一端と、他端の延伸端とは、前記底蓋２の上面と面一となる。前記伝動モジュール４の前記モーターに対応する構造は、前記凹部３１に設けられる。前記凹部３１は、前記第１通路口１２側に設置される。
【００１５】
図３〜図６、図９を参照しながら説明する。公知技術のダブルローラーの設計と比べると、前記伝動モジュール４は、１組のローラーを省略するため、機械の体積を小さくするという目的を達成できる。また、本考案のポータブルスキャナー１００によってスキャンする場合、スキャン書類７の綴じ側が前記伝動モジュール４に接触しないため、モーターのトルクを減少でき、電力消費量の低減という目的を達成できる。前記伝動モジュール４は、スキャンモジュール４１とローラー４２とを有する。前記スキャンモジュール４１は、前記ローラー４２の上方に設けられ、前記ローラー４２に接触する。また、前記スキャンモジュール４１は、ハウジング４３と、回路基板４４と、光源４５と、センサ４６と、ガラスプレート４７とを有する。本実施例において、前記ハウジング４３はプラスチック製である。前記回路基板４４は、前記ハウジング４３の上方に設けられる。前記光源４５及び前記センサ４６は、前記ハウジング４３の内部に設けられる。前記センサ４６は、前記ローラー４２の上方に設けられる。前記ガラスプレート４７は、前記ハウジング４３の下方に設けられ、前記ローラー４２と接触する。本考案のポータブルスキャナー１００によってスキャンする場合、前記スキャン書類７は、前記ガラスプレート４７と前記ローラー４２の間に挟まって、前記ローラー４２を回転させることで移動できる。前記ガラスプレート４７は、硬質、耐摩耗性、透明等の特性を有する。
【００１６】
前記ローラー４２は、前記スキャンモジュール４１の下方に設けられ、前記第１通路口１２に接近し、前記モーター（図示せず）に接続され、前記モーター（図示せず）によって駆動されて回転（時計方向）又は逆回転（反時計方向）する。前記ローラー４２は、前記凹部３１内に設けられる。図６の断面図、図７及び図８の模式図の方向から見て、前記ローラー４２を逆回転させることで、前記スキャン書類７を前記第１通路口１２から所定距離だけ給送してから、回転を停止させる。その後、前記ローラー４２を回転させることで、前記スキャン書類７を前記第１通路口１２から排出させるとともに、スキャンの機能を実行し、前記スキャン書類７の画像を得る。逆回転することで給送される前記スキャン書類７の所定距離は、プリセット時間、人員制御、センサ感知等の方法によって設定できる。具体的な実施例において、前記内容に限定されない。例えば、前記ローラー４２と前記スキャンモジュール４１は、前記第２通路口１３側に設置されてもよい。前記ローラー４２を回転させることで、前記スキャン書類７を前記第２通路口１３から所定距離だけ給送してから、回転を停止させる。その後、前記ローラー４２を逆回転することで、前記スキャン書類７を前記第２通路口１３を経由し前記スキャン通路１１から排出させるとともに、前記スキャンモジュール４１によって前記スキャン書類７をスキャンする。
【００１７】
以下、本考案のポータブルスキャナー１００の作動状態を説明する。当本考案のポータブルスキャナー１００によって薄紙、カード等をスキャンする場合、薄紙、カードを前記第２通路口１３から前記スキャン通路１１に給送し、薄紙、カードの先端が前記ローラー４２に接触すると、前記ローラー４２を回転させることで、前記薄紙、カードを移動させるとともに、前記スキャンモジュール４１によって薄紙、カードをスキャンし始める。その場合、薄紙、カードを前記第１通路口１２を経由し前記スキャン通路１１から徐々に排出させる。薄紙、カードの末端が前記スキャンモジュール４１を通ってから、本考案のポータブルスキャナー１００によるスキャンを終了させ、ローラー４２によって薄紙、カードを前記第１通路口１２を経由し前記スキャン通路１１から排出させる。
【００１８】
図７及び図８の模式図を参照しながら説明する。本考案のポータブルスキャナー１００によって厚さがある又は綴じあり前記スキャン書類７をスキャンする場合、前記スキャン書類７を前記第１通路口１２から前記スキャン通路１１に給送する。図６の断面図の方向に示すように、前記ローラー４２を逆回転させることで、前記スキャン書類７を前記第１通路口１２から給送し、前記ローラー４２によって前記スキャン書類７を所定距離だけ移動してから、回転を停止させる。そして、前記ローラー４２を回転させることで、前記スキャン書類７を前記第１通路口１２から排出させるとともに、前記スキャンモジュール４１によってスキャン機能を実行し、前記スキャン書類７の画像を得る。所定距離は、プリセット時間、人員制御、センサ感知等の方法によって設定できる。
【００１９】
上記をまとめると、本考案のポータブルスキャナー１００によって薄紙、カードをスキャンする場合、それらを前記第２通路口１３から給送させ、前記第１通路口１２から排出させる。厚さがある又は綴じあり前記スキャン書類７をスキャンする場合、それらを前記第１通路口１２から給送させて排出させる。図６の断面図、図７及び図８の模式図の方向から見て、前記ローラー４２を逆回転させることで、前記スキャン書類７を前記第１通路口１２から所定距離だけ給送してから、回転を停止させる。その後、前記ローラー４２を回転させることで、前記スキャン書類７を前記第１通路口１２から排出させるとともに、前記スキャンモジュール４１によってスキャン機能を実行し、前記スキャン書類７の画像を得る。所定距離は、プリセット時間、人員制御、センサ感知等の方法によって設定できる。よって、本考案のポータブルスキャナー１００は、前記ローラー４２が前記スキャン書類７の綴じ側を接触しないため、モーターのトルクを減少し、電力消費量の低減という目的を達成できる。そのため、本考案のポータブルスキャナー１００は、体積が小く、コストが低く、且つスキャン書類の厚さに制限されないなどの利点を有する。
【符号の説明】
【００２０】
１００  ポータブルスキャナー
１  上蓋
１０  ケース
１１  スキャン通路
１２  第１通路口
１３  第２通路口
１４  ＵＳＢスロット
２  底蓋
３  ベース部
３１  凹部
４  伝動モジュール
４１  スキャンモジュール
４２  ローラー
４３  ハウジング
４４  回路基板
４５  光源
４６  センサ
４７  ガラスプレート
７  スキャン書類
２００  紙送りローラー
２０１  受動ローラー
２０２  スキャンモジュール    
【図１】
0003226659.tif 000003
【図２】
0003226659.tif 000004
【図３】
0003226659.tif 000005
【図４】
0003226659.tif 000006
【図５】
0003226659.tif 000007
【図６】
0003226659.tif 000008
【図７】
0003226659.tif 000009
【図８】
0003226659.tif 000010
【図９】
0003226659.tif 000011